(57)【要約】【課題】こりは、神経や腱に沿って生じるため、幅広く適用箇所を選ばないサポータが必要である。こりを和らげ、関節にかかる負担を軽減させると共に筋肉を鍛え、痛みや身体のゆがみ、関節の変形を改善可能とするサポータを提供すること。【解決手段】バネ用鋼線をシリコンチューブに通した後衝撃吸収材、非伸縮性面ファスナーで覆い、サポータ主体部を形成する。サポータ主体部を帯もしくはベルト状に形成し、伸縮ベルトなどと合わせ装着すると、シリコンチューブの空気圧と、衝撃吸収材の弾力が筋肉をサポートしつつ鍛え、バネ用鋼線の刺激は筋肉をほぐし、らせん状に巻きつけると、戻ろうとする力が関節に加わり、関節にかかる負担を軽減させます。痛みの出る部位に、衝撃吸収材入りのパットを取り付け、圧力を調整し、指や足や腕の付け根などサポータを装着しにくい部位、腰など複数サポータを装着する部位には、サポータを通すベルト通しを設けた衣類を使用する。【選択図】図１
2014128534.tif 000002
【特許請求の範囲】
【請求項１】
バネ用鋼線をシリコンチューブに通し、シリコンチューブを衝撃吸収材で覆った後非伸縮性ループ状面ファスナーで覆い、サポータ主体部とすることを特徴とする加圧と指圧とストレッチができるサポータ
【請求項２】
前記サポータは全身に対応させるため形状は特定しないが、サポータ主体部を帯もしくはベルト状に形成した後、伸縮性および非伸縮性面ファスナー、ゴム、フックとループ二つの機能を備えた面ファスナー、リング状部材などを用いて身体に装着させることを特徴とした請求項１に記載の加圧と指圧とストレッチができるサポータ
【請求項３】
１項及び２項に記載のサポータは、全面ループ状面ファスナーで覆われていることを特徴としているので、フックとループ二つの機能を備えた面ファスナーを利用して、衝撃吸収材入りのパットを取り付け可能とすることを特徴とした請求項１または請求項２に記載の加圧と指圧とストレッチができるサポータ
【請求項４】
１項から３項に記載のサポータを任意の部位に装着しにくい場合もしくは複数使用する場合は、サポータ着脱をしやすくするために、サポータを通すベルト通しを設けた衣類を使用することを特徴とする請求項１から３項に記載の加圧と指圧とストレッチができるサポータ
【発明の詳細な説明】
【技術分野】
【０００１】本願発明は弱った筋肉やこりによる、身体の痛み、ゆがみ、関節の変形を改善することを目的として、スポーツや医療にとどまらず、日常全般に使用する加圧と指圧とストレッチができるサポータに関する
【背景技術】
【０００２】身体の痛みやこりは、上半身は頚椎から、下半身は腰椎から、神経や腱に沿って生じるため、幅広く適用箇所を選ばないサポータが必要となり、伸縮タイプの１本の帯状のサポータが考えられ、特許文献１が開示されています。
【先行技術文献】
【特許文献】
【０００３】
【特許文献１】特許公開２００５−１６３２０９
【発明の概要】
【発明が解決しようとする課題】
【０００４】平面的なサポータですと、筋肉の奥深くにたまった疲労物質によるこりを和らげることはできず、関節にかかる負担を軽減するなどのサポート力も弱い点
【課題を解決するための手段】
【０００５】バネ用鋼線をシリコンチューブに通し、シリコンチューブを衝撃吸収材で覆った後、非伸縮性面ファスナーで覆い、サポータ主体部を形成する。
サポータ本体は、幅広い部位に対応させる必要があるので形状は特定しないが、サポータ主体部を帯もしくはベルト状に形成した後、伸縮性および非伸縮性面ファスナー、ゴム、フックとループ二つの機能を備えた面ファスナー、リング状部材などを用いて伸縮ベルトなどを形成し、サポータ主体部と合わせて体に装着させる。【０００６】なお痛みの出る部位に対応するため、衝撃吸収材入りのパットをサポータ本体に取り付け、部位にかかる圧力を調整する。【０００７】指や足、腕の付け根など疲労物質がたまりやすいにもかかわらず、サポータを装着しにくい部位や、腰など複数サポータを装着する必要性がある部位は、サポータを通すベルト通しを設けた衣類を使用する。
【発明の効果】
【０００８】この考案の加圧と指圧とストレッチができるサポータは、以下の特徴から、従来の平面的な固定圧迫型のサポータよりもより深い部分のコリに働きかけると同時に強力に関節をサポートするものであります。【０００９】バネ用鋼線をシリコンチューブに通した後、衝撃吸収材で覆い、指圧に近い弾力を加えた後に非伸縮性面ファスナーで覆い、伸縮性のあるベルトを合わせて身体に装着させるものですが、シリコンチューブの空気圧と、衝撃吸収材の弾力が加圧効果となり、筋肉を強力にサポートしつつ鍛えます。【００１０】バネ用鋼線の刺激が皮膚の下の骨のような感触に近く、装着して身体を動かすと、刺激が指圧効果となり、硬くなった筋肉をほぐします。【００１１】サポータをらせん状に巻きつけると、バネ用鋼線が戻ろうとする力が関節に加わり、硬縮しがちな筋肉を伸ばすストレッチ効果となり、関節にかかる負担も軽減させます。【００１２】パットは痛みが強い箇所に装着し、圧力を調整することができます。【００１３】ベルト通しを設けた衣類を利用すると、指や足、腕の付け根など疲労がたまりやすい部位もサポートすることができ、腰など複数サポータを装着する場合には、着脱の手間を省く効果があります。【００１４】これらの効果を長く体験することにより不良姿勢、関節の変形、痛みが改善されます。
【図面の簡単な説明】
【００１５】
【図１】サポータ装着実施例
【図２】サポータ主体部と断面図
【図３】伸縮ベルト  リング状部材  テープ状止具
【図４】首、肩、手首のサポータ
【発明を実施するための形態】
【００１６】本発明の実施の形態を図１に示した実施例と図２から図４の各種構造に基づいて説明させていただきます。バネ用鋼線（１）はすべて端の処理済のもので、バネ用鋼線の本数は仮とさせていただきます。
【実施例】
【００１７】首用のサポータ（２は、首まわりを２〜３周する長さのバネ用鋼線を１本、肩用のサポータ（３）は、たすき掛けをきつく２周するより５センチほど短い長さのバネ用鋼線を１本、手首用のサポータ（４）は、手首を５周するくらいの長さのバネ用鋼線２本をそれぞれシリコンチューブ（５）で覆った後、衝撃吸収材（６）で覆う。【００１８】その後非伸縮性ループ状面ファスナー（７）で覆い、サポータ主体部（８）を形成する。サポータ主体部（８）に取り付けるものとして
伸縮性ループ状面ファスナー（９）にゴム（１０）をはさんだベルト（１１）裏面にループとフック二つの機能を備えた面ファスナー（１２）を配したリング状部材（１３）
裏面にループとフック二つの機能を備えた面ファスナー（１２）を配したテープ状止具（１４）を用意します。
首用のサポータ（２）は、サポータ主体部（８）の一端にベルト（１１）を取り付け、裏面の端にループとフック二つの機能を備えた面ファスナー（１２）を配し、もう一端はベルト（１１）のみ取り付けます。裏面の端にループとフック二つの機能を備えた面ファスナー（１２）を配した側から首に巻きつけ、テープ状止具（１４）で任意の場所で留めます。
肩用のサポータ（３）はサポータ主体部（８）の一端にベルト（１１）を取り付け、反対側端部にリング状部材（１３）を取り付けます。リング状部材（１３）を取り付けた側から肩にたすき掛けをふた回りし、リング状部材（１３）を通した後きつく締め、テープ状止具（１４）で任意の場所で留めます。
手首用のサポータ（４）はサポータ主体部（８）の両端にベルト（１１）を取り付け、裏面の端にループとフック二つの機能を備えた面ファスナー（１２）を配します。手首にらせん状にまきつけます。
他、必要に応じて使用するものとして、衝撃吸収材（６）を中身とするパット（１５）、サポータを通すベルト通しを設けた衣類（１６）など。
【産業上の利用可能性】
【符号の説明】
【００１９】１：バネ用鋼線
２：首用のサポータ
３：肩用のサポータ
４：手首用のサポータ
５：シリコンチューブ
６：衝撃吸収材
７：非伸縮性ループ状面ファスナー
８：サポータ主体部
９：伸縮性ループ状面ファスナー
１０：ゴム
１１：ベルト
１２：ループとフック二つの機能を備えた面ファスナー
１３：リング状部材
１４：テープ状止具
１５：衝撃吸収材（６）を中身とするパット
１６：サポータを通すベルト通しを設けた衣類
【図１】
2014128534.tif 000003
【図２】
2014128534.tif 000004
【図３】
2014128534.tif 000005
【図４】
2014128534.tif 000006
【手続補正書】
【提出日】平成25年6月24日(2013.6.24)
【手続補正１】
【補正対象書類名】特許請求の範囲
【補正対象項目名】全文
【補正方法】変更
【補正の内容】
【特許請求の範囲】
【請求項１】
身体に巻き付けて装着することにより加圧と指圧とストレッチができるサポータであって、
バネ用鋼線（１）をシリコンチューブ（５）に通し、当該シリコンチューブ（５）を衝撃吸収材（６）で覆った後、非伸縮性ループ状面ファスナー（７）で覆った構造を有するサポータ主体部（８）を備え、
前記サポータを身体に巻き付けて装着することにより、前記バネ用鋼線（１）が前記シリコンチューブ（５）及び前記衝撃吸収材（６）を介して筋肉に加圧効果を与え、
前記サポータを身体に巻き付けて装着した状態で身体を動かすことにより、前記バネ用鋼線（１）の刺激により筋肉に指圧効果を与え、
前記サポータを身体にらせん状に巻き付けて装着した際に前記バネ用鋼線（１）が戻ろうとする力により、筋肉にストレッチ効果を与えることを特徴とする加圧と指圧とストレッチができるサポータ（８）。
【請求項２】
前記サポータ主体部（８）の一端側に取り付けられ、裏面にループとフック二つの機能を有する面ファスナー（１２）が配設された伸縮性ベルト（１１ａ）と、
前記サポータ主体部（８）の他端側に取り付けられた伸縮性ベルト（１１ｂ）と、
裏面にループとフック二つの機能を有する面ファスナー（１２）が配設されたテープ状止具（１４）とをさらに備えることを特徴とする請求項１に記載の加圧と指圧とストレッチができるサポータ（２）。
【請求項３】
前記サポータ主体部（８）の一端側に取り付けられたリング状部材（１３）と、
前記サポータ主体部（８）の他端側に取り付けられた伸縮性ベルト（１１ｂ）と、
裏面にループとフック二つの機能を有する面ファスナー（１２）が配設されたテープ状止具（１４）とをさらに備えることを特徴とする請求項１に記載の加圧と指圧とストレッチができるサポータ（３）。
【請求項４】
前記サポータ主体部（８）の一端側に取り付けられ、裏面にループとフック二つの機能を有する面ファスナー（１２）が配設された伸縮性ベルト（１１ａ）と、
前記サポータ主体部（８）の他端側に取り付けられ、裏面にループとフック二つの機能を有する面ファスナー（１２）が配設された伸縮性ベルト（１１ｂ）とをさらに備えることを特徴とする請求項１に記載の加圧と指圧とストレッチができるサポータ（４）。
【請求項５】
痛みが強い箇所に装着し圧力を調整するための衝撃吸収材入りのパット（１５）をさらに備えることを特徴とする請求項１〜４のいずれかに記載の加圧と指圧とストレッチができるサポータ。
【請求項６】
請求項１〜５のいずれかに記載の加圧と指圧とストレッチができるサポータ（２，３，４，８）とともに使用するための衣類であって、
前記サポータを通すベルト通し（１７）が設けられてなることを特徴とする衣類（１６）。
【手続補正２】
【補正対象書類名】明細書
【補正対象項目名】全文
【補正方法】変更
【補正の内容】
【発明の詳細な説明】
【技術分野】
【０００１】
本発明は、弱った筋肉やこりによる、身体の痛み、ゆがみ、関節の変形を改善することを目的として、スポーツや医療にとどまらず、日常全般に使用する加圧と指圧とストレッチができるサポータ及びそのようなサポータとともに使用するための衣類に関する。
【背景技術】
【０００２】
身体の痛みやこりは、上半身は頚椎から、下半身は腰椎から、神経や腱に沿って生じるため、幅広く適用箇所を選ばないサポータが必要となり、伸縮タイプの１本の帯状のサポータが考えられ開示されている（例えば特許文献１参照。）。
【先行技術文献】
【特許文献】
【０００３】
【特許文献１】特開２００５−１６３２０９号公報
【発明の概要】
【発明が解決しようとする課題】
【０００４】
しかしながら、従来のサポータのように平面的なサポータだと、筋肉の奥深くにたまった疲労物質によるこりを和らげることはできず、また、関節にかかる負担を軽減するなどのサポート力も弱いという問題がある。
そこで、本発明は、上記した問題を解決するためになされたもので、筋肉の奥深くにたまった疲労物質によるこりを和らげることが可能で、かつ、関節にかかる負担を軽減するなどのサポート力を強くすることが可能な、加圧と指圧とストレッチができるサポータを提供することを目的とする。
【課題を解決するための手段】
【０００５】
バネ用鋼線をシリコンチューブに通し、シリコンチューブを衝撃吸収材で覆った後、非伸縮性面ファスナーで覆い、サポータ主体部を形成する。サポータ主体部は、幅広い部位に対応させる必要があるので形状は特定しないが、サポータ主体部を帯もしくはベルト状に形成した後、伸縮性および非伸縮性面ファスナー、ゴム、フックとループ二つの機能を備えた面ファスナー、リング状部材などを用いて伸縮ベルトなどを形成し、サポータ主体部と合わせて体に装着させる。
【０００６】
なお、痛みの出る部位に対応するため、衝撃吸収材入りのパットをサポータ主体部に取り付け、部位にかかる圧力を調整する。
【０００７】
指や足、腕の付け根など疲労物質がたまりやすいにもかかわらず、サポータを装着しにくい部位や、腰など複数サポータを装着ずる必要性がある部位は、サポータを通すベルト通しを設けた衣類を使用する。
【発明の効果】
【０００８】
本発明の加圧と指圧とストレッチができるサポータは、以下の特徴から、従来の平面的な固定圧迫型のサポータよりもより深い部分のこりに働きかけると同時に強力に関節をサポートすることができる。
【０００９】
バネ用鋼線をシリコンチューブに通した後、衝撃吸収材で覆い、指圧に近い弾力を加えた後に非伸縮性面ファスナーで覆い、伸縮性のあるベルトを合わせて身体に装着させるものですが、シリコンチューブの空気圧と、衝撃吸収材の弾力が加圧効果となり、筋肉を強力にサポートしつつ鍛えることができる。
【００１０】
バネ用鋼線の刺激が皮膚の下の骨のような感触に近く、装着して身体を動かすと、刺激が指圧効果となり、硬くなっ た筋肉をほぐすことができる。
【００１１】
サポータをらせん状に巻きつけると、バネ用鋼線が戻ろうとする力が関節に加わり、硬縮しがちな筋肉を伸ばすストレッチ効果となり、関節にかかる負担を軽減することもできる。
【００１２】
パットは痛みが強い箇所に装着し、これにより圧力を調整することができる。
【００１３】
ベルト通しを設けた衣類を利用すると、指や足、腕の付け根など疲労がたまりやすい部位もサポートすることができ、腰など複数サポータを装着する場合には、着脱の手間を省く効果がある。
【００１４】
これらの効果を長く体験することにより不良姿勢、関節の変形、痛みが改善される。
【図面の簡単な説明】
【００１５】
【図１】本発明のサポータ（２，３，４）を身体に装着した実施例を説明するために示す図である。
【図２】サポータ主体部（８）を説明するために示す図である。図２（ａ）はサポータ主体部（８）の断面図であり、図２（ｂ）はサポータ主体部（８）の斜視図である。
【図３】伸縮ベルト（１１）、リング状部材（１３）及びテープ状止具（１４）を説明するために示す図である。図３（ａ）は伸縮ベルト（１１）がサポータ主体部（８）に取り付けられた様子を示す図であり、図３（ｂ）は伸縮ベルト（１１）の分解断面図であり、図３（ｃ）はリング状部材（１３）の斜視図であり、図４（ｄ）はテープ状止具（１４）の斜視図である。
【図４】首用のサポータ（２）、肩用のサポータ（３）及び手首用のサポータ（４）を説明するために示す図である。図４（ａ）は首用のサポータ（２）を示す斜視図であり、図４（ｂ）は肩用のサポータ（３）を示す斜視図であり、図４（ｃ）は手首用のサポータ（４）を示す斜視図である。
【発明を実施するための形態】
【００１６】
本発明の実施の形態を図１に示した実施例と図２から図４の各種構造に基づいて説明する。バネ用鋼線（１）はすべて端の処理済のものである。バネ用鋼線の本数は仮とする。
【実施例】
【００１７】
首用のサポータ（２、図１参照。）は、首まわりを２〜３周する長さのバネ用鋼線を１本、肩用のサポータ（３、図１参照。）は、たすき掛けをきつく２周するより５センチほど短い長さのバネ用鋼線を１本、手首用のサポータ（４、図１参照。）は、手首を５周するくらいの長さのバネ用鋼線を２本、それぞれシリコンチューブ（５）で覆った後、衝撃吸収材（６）で覆う（図２（ａ）参照。）。
【００１８】
その後非伸縮性ループ状面ファスナー（７）で覆い（同じく図２（ａ）参照。）、サポータ主体部（８）を形成する（図２（ｂ）参照。）。サポータ主体部（８）に取り付けるものとして、伸縮性ループ状面ファスナー（９）にゴム（１０）をはさんだ伸縮ベルト（１１）（図３（ａ）及び図３（ｂ）参照。）、裏面にループとフック二つの機能を備えた面ファスナー（１２）を配したリング状部材（１３）（図３（ｃ）参照。）、裏面にループとフック二つの機能を備えた面ファスナー（１２）を配したテープ状止具（１４）（図３（ｄ）参照。）を用意する。
首用のサポータ（２）は、図４（ａ）に示すように、サポータ主体部（８）の一端に伸縮ベルト（１１）を取り付け、裏面の端にループとフッ ク二つの機能を備えた面ファスナー（１２）を配し、もう一端は伸縮ベルト（１１）のみ取り付ける。裏面の端にループとフック二つの機能を備えた面ファスナー（１２）を配した側から首に巻きつけ、テープ状止具（１４）で任意の場所で留める。
肩用のサポータ（３）は、図４（ｂ）に示すように、サポータ主体部（８）の一端に伸縮ベルト（１１）を取り付け、反対側端部にリング状部材（１３）を取り付ける。リング状部材（１３）を取り付けた側から肩にたすき掛けをふた回りし、リング状部材（１３）を通した後きつく締め、テープ状止具（１４）で任意の場所で留める。
手首用のサポータ（４）は、図４（ｃ）に示すように、サポータ主体部（８）の両端に伸縮ベルト（１１）を取り付け、裏面の端にルー プとフック二つの機能を備えた面ファスナー（１２）を配する。手首にらせん状にまきつける。
他、必要に応じて、衝撃吸収材（６）を中身とするパット（１５）、サポータを通すベルト通しを設けた衣類（１６）などを使用することもできる（図１参照。）。
【符号の説明】
【００１９】
１：バネ用鋼線
２：首用のサポータ
３：肩用のサポータ
４：手首用のサポータ
５：シリコンチューブ
６：衝撃吸収材
７：非伸縮性ループ状面ファスナー
８：サポータ主体部
９：伸縮性ループ状面ファスナー
１０：ゴム
１１：伸縮ベルト
１２：ループとフック二つの機能を備えた面ファスナー
１３：リング状部材
１４：テープ状止具
１５：衝撃吸収材（６）を中身とするパット
１６：サポータを通すベルト通しを設けた衣類
１７：ベルト通し
【手続補正３】
【補正対象書類名】図面
【補正対象項目名】図１
【補正方法】変更
【補正の内容】
【図１】
2014128534.tif 000007
【手続補正４】
【補正対象書類名】図面
【補正対象項目名】図２
【補正方法】変更
【補正の内容】
【図２】
2014128534.tif 000008
【手続補正５】
【補正対象書類名】図面
【補正対象項目名】図３
【補正方法】変更
【補正の内容】
【図３】
2014128534.tif 000009
【手続補正６】
【補正対象書類名】図面
【補正対象項目名】図４
【補正方法】変更
【補正の内容】
【図４】
2014128534.tif 000010